(57)【要約】      （修正有）【課題】廃棄物の微生物処理に必要なバクテリアや菌糸類等を継続的、或いは定期的に添加するするため、バイオを継続的に飼育し、組成培地のみの追加投入で飼育し処理出来る装置を提供する。【解決手段】食品加工工場等から排出される汚泥や汚濁類等を処理する為に、バイオ継続的飼育添加装置を製作し、定期的、或いは継続的にバイオを添加し、既設類等のグリストラップや処理水槽にエアレーションを設定した時間帯に稼動させ、浮遊・浮上する有機物や化合物類等を攪拌する目的で施し、バクテリアや菌糸類等の添加量を確保する為の、培地投入する為の必要量と日数分を培地層に培地量を設け、培地だけの補充と処理設定時間におけるエアレーション等を同時に開始することで、しかも省エネ化した自律した制御ソフトの設定可能なモード可変を取り入れ、手間の掛からない安価な装置を開発し、問題を解決したことで可能にした。【選択図】図１
2006150324.tif 000002
【特許請求の範囲】
【請求項１】
水処理から発生する有機物や化合物類等を処理する為に、バクテリア類等を使用するもので、洗浄等で使用される界面活性剤類等、或いは定期的に消毒・殺菌等が汚泥や排水類等に混入されバクテリア類等が死滅し汚泥類等が処理されない事と営業時間中における大量の汚泥の流出で効果が無い事から、特に営業時間以外の停滞した汚泥の滞留時間帯、或いは汚濁状態に応じて処理する装置で
イ）本装置はバクテリアを継続的或いは定期的に培養した菌を添加するもので、バクテリアに応じた組成物（培地液）の各培地層を設け
ロ）各倍地層の各培地液を各ポンプで吸い上げ、若しくは排出で得きるポンプ類を使用し
ハ）汚泥に含まれた有機物や化合物を処理可能な、バクテリアや菌糸、又は耐性細菌類等をセラミックボール類等に吸着し培養する各培養層を設け、適合した菌種の環境条件とバクテリア類等に適合した培地液をポンプで送り、継続的に増殖できる各培養層で、継続的或いは定期的に汚泥や水処理対象物へ培養した液（菌種類等）の必要量を添加し汚泥類等を処理するバイオを添加する事が出来る装置を特徴とする。
【発明の詳細な説明】
【発明の詳細な説明】
【技術分野】
【０００１】  本発明は、厨房等において洗浄・殺菌・消毒類等が排水類等と混合しバクテリアが死滅し、水処理が出来ない事からバクテリアや菌糸類等を継体的に飼育し添加する装置で、バクテリア類等の洗浄・殺菌・消毒の影響で減菌、又は死滅したバクテリア類等や菌糸類等を補給し補う装置である。
【背景技術】
【０００２】  既存では、界面活性剤類等や菌と証するものをポンプで直接添加するものが多く存在しますが、界面活性剤類等が主に使用され見掛の処理が多く、その排水へ添加された以降の排水パイプの配管詰まりが発生し、或いはバイオと証するものを容器に入れ直接添加しても、バイオが培地によって一時的に活性化し自己生産するガスやＰＨの変化において死滅し水処理の効果な結果が得られていない。
【発明者が解決しようとする課題】
【０００３】汚泥類等を生物的処理で効率よく利用する為には生菌が必要不可欠で有る為その方法としてバイオ類等に応じた増殖日数や組成物（培地）の必要量を毎日、或いは定期的に添加する事の出来る装置で、その生菌を汚泥類等に添加する事で、殺菌・消毒・洗浄等で死滅した菌を補填する事で問題を解決するものである。
【課題を解決する為の手段】
【０００４】  本発明によれば、食品や工業用から排出される汚泥に洗浄・殺菌・消毒等の化合物や化学物質等の物質類等が汚泥や排水に含まれバクテリア類が死滅や減退し水処理が効率よく処理されていない事から、汚泥類等にバイオ類等を継続的に飼育し生菌を、継続的に添加できるバイオ継体的飼育添加装置で
ア）培地層に汚泥処理に対応できる菌種に、符合した組成培地（培地液）を作成、投入し、外部からの雑菌を取り除く為に、培地投入後、高温水ヒーター等で雑菌処理を行い
イ）汚泥処理の規模や阻害性抗菌物質等量、又は処理対象物の量に応じて、組成培地を継続的、或いは定期的に設定しポンプにて培養層に送り込むもので
ウ）培養層は菌株や菌糸類等に適応した酸素要求項目や温度等の条件等を満たした環境を作った層で、継続的培養を行う為に菌の宿主となるセラミックボール類等を入れ吸着し、各培養層で菌種に応じた各培地を各ポンプにより添加され溢れ目から培養液を排出し、汚泥や水処理等の対象物に継続的、あるいは定期的に添加する装置で
エ）汚泥や汚濁の処理の時については、食品等の営業時間帯は洗浄等で大量の排水量を流出する事から効果が得られない事から、営業時間帯で排出された汚泥や汚濁類等を効率よく処理する為に、営業時間以外の滞留時間、又は停滞状況、若しくは処理する汚泥の量に応じて、既存の汚泥処理層類等にブロアーを開始し、バイオ継体的飼育添加装置で培養した生菌を添加し処理したところ可能にした。
【発明の実態の形態】
【０００５】本発明は、汚泥や汚濁等の排水類等を処理後、化学的に分析し計量する事で問題を解決する結果が得られた。
【実施例】
【０００６】以下本発明をさらに詳細に説明する。
本発明の、実施例の装置の概略図は系統図で示される。
本発明の実施において、生物的（バクテリアや菌糸類等）をもって処理する場合、営業時間帯においては、洗浄等の大量の排水量を使用するため菌種が大量に流出する為、短時間での処理は難しい事から、営業時間以外の滞留時間帯や停滞時間等での処理を実施した。
▲１▼培地層で▲２▼倍地注入口から菌種の生育を満たした培地（作成した組成物）を注入する口で▲３▼殺菌層に水を注ぎ▲４▼オバーフローで満水状態を確認し▲５▼ドレンで水量の調整を行い▲６▼ヒーターで培地注入後、或いは定期的に上昇し雑菌の殺菌を行い、安定した培地を供給する。
▲７▼ポンプは▲１▼培地層の純粋な培地を継続的、又は定期的に作動するもので▲８▼吸気口を施す事で安定した培地の量が送れる。
▲９▼培養層に菌を吸着し投入した▲１０▼セラミックボールで菌の宿主として代用し▲７▼ポンプから送られてきた培地を継続的、又は定期的に添加する事で菌種の継体的維持が確保できる、更に菌種の環境条件を満たすために菌種に応じて▲１１▼エアーポンプを設け▲１２▼温度調整層に取り付けた▲６▼ヒーターで菌種に応じた▲９▼各培養層にバクテリアや菌糸等類に応じて、それぞれ設け温度も、それに応じて調整するものである。
汚泥の滞留時間や排水処理量等に応じて培養液の量を調整し▲１３▼培養液及び炭酸ガス類等エアー排出口から添加するもので▲１４▼水量計で、それぞれを示す。【０００７】▲１▼各倍地層は菌種の種類に応じて層を設け、菌種に応じた作成組成物を一定期間中の量を保持する層で▲２▼培地注入口から投入する。【０００８】▲３▼殺菌層に水を注入し▲４▼オバーフローにて水量を検索し、場合においては▲５▼ドレンにて水量を調整する。
▲２▼培地注入口から投入された培地に雑菌が付着する恐れがあり、純粋な培地を▲９▼培養層に提供できない事から、注入後、又は定期的に▲６▼ヒーターで高温殺菌する為に施した。【０００９】▲８▼吸気口は▲７▼ポンプで▲９▼各培養層へ送られる培地に必要不可欠な酸素を取り入れるために施した。【００１０】▲９▼各培養層は汚泥や排水処理に応じて適宜、必要な層数を調整し▲２▼各倍地層も同様に調整する、また▲９▼各培養層に菌種の宿主（宿）の代用品として▲１０▼セラミックボール類等を利用し生育させ菌種に応じた▲１１▼エアーポンプや▲１２▼温度調整層を、それぞれ▲９▼各培養層に吸着した菌種に応じて同種、或いは異種の菌株に応じて▲１２▼温度調整層を二分化層、又は三文化層等で対応し▲６▼ヒーターで温度をそれぞれに応じて調整する。【００１１】▲１３▼培養液及び炭酸ガス類等エアー排出口から、処理対象物に配管し培養液を添加する装置である。【００１２】▲１▼各培地層の殺菌処理方法として投入後、又は定期的に必要に応じて高温殺菌し▲７▼培地注入量や▲９▼各培養層にて培養した菌種の添加量について設定できるモードで、外気温度の変化や汚泥処理時間の設定、若しくは汚泥処理に必要な培養液の量等を調整できる装置で自動化することが出来た。
【図面の簡単な説明】
【図１】バイオ継体維持添加装置を示した系統図である。
【符号の説明】
▲１▼  各倍地層（各培地タンク）
▲２▼  培地注入口
▲３▼  殺菌層
▲４▼  オバーフロー
▲５▼  ドレン
▲６▼  ヒーター
▲７▼  ポンプ
▲８▼  吸気口
▲９▼  各培養液層（各培養液タンク）
▲１０▼  セラミックボール類等
▲１１▼  エアーポンプ（好気性細菌群のみ使用、嫌気性については攪拌機を用いる）
▲１２▼  温度調整層
▲１３▼  培養液及び炭酸ガス類等エアー排出口
▲１４▼  水量計
【図１】
2006150324.tif 000003